(57)【要約】      （修正有）【課題】自動車のフロントガラスに洗浄液を噴射するウォッシャーノズルの噴射角度を自在に調節する為の工具である噴射角度調整治具を提供する。【解決手段】平板状の治具本体２と、該治具本体２の一端側に突出する筒状の主嵌合部３と、治具本体２の他端側に突出する筒状の従嵌合部４とからなり、主嵌合部３は嵌合相手であるノズルの筒状の噴射口部を内包して嵌合し、前記噴射口部の噴射角度を所要可動範囲内において自由に調節できる。【選択図】図１
0003147654.tif 000002
【実用新案登録請求の範囲】
【請求項１】
平板状の治具本体と、該治具本体の一端側に突出する筒状の主嵌合部と、前記治具本体の他端側に突出する筒状の従嵌合部とからなり、
前記主嵌合部は嵌合相手であるノズルの筒状の噴射口部を内包して嵌合し、
前記噴射口部の噴射角度を所要可動範囲内において自由に調節できること、
を特徴とする噴射角度調整治具。
【請求項２】
主嵌合部の筒内周壁には、嵌合相手であるノズルの噴射口部の筒状外周部に設けた係合部に係合して、前記主嵌合部と噴射口部とがその軸心廻りに一体になって回転させる係合部が設けられていること、
を特徴とする請求項１に記載の噴射角度調整治具。
【請求項３】
治具本体の他端にある従嵌合部は、嵌合相手であるノズルの筒状の噴射口部を内包して嵌合し、前記噴射口部の噴射角度を所要可動範囲内においてその軸心廻りの回転させることを除いて揺動させることが可能であること、
を特徴とする請求項１乃至２のいずれかに記載の噴射角度調整治具。
【請求項４】
治具本体と主嵌合部及び従嵌合部が、合成樹脂で一体に形成されていること、
を特徴とする請求項１乃至３のいずれかに記載の噴射角度調整治具。
【請求項５】
ノズルの筒状の噴射口部においてはその筒状の外周壁部に、請求項１〜４に記載した噴射角度調整治具の主嵌合部の係合部に係合させるための係合部が対応する部位に設けられていること、
を特徴とするウォッシャーノズル。
【考案の詳細な説明】
【技術分野】
【０００１】
本考案は、例えば、自動車のフロントガラスに洗浄液を噴射するウォッシャーノズルと、そのウォッシャーノズルの噴射角度を自在に調節する為の工具である噴射角度調整治具
に関するものである。
【背景技術】
【０００２】
従来、ウォッシャーノズルの洗浄液を噴射する角度は、車種によってフロントガラスに対する噴射ポイントが異なることから、調整することが要請されている。例えば、特許文献１に記載のように、調整治具の本体に挿入ピンを設け、前記本体の他端にレンズ体と光源および光伝導部材を備えることで、ノズルの噴射口に挿入して噴射角度を調整し、前記同一直線上に有るレンズからの発射光によって、噴射角度を直ちに知ることが出来るようにしたものが知られている。
【特許文献１】特開平１０−２０３３１６号公報
【考案の開示】
【考案が解決しようとする課題】
【０００３】
しかし、従来の噴射角度調整治具では、治具本体に装備する部品が多くなり、コストも嵩むものである。また、ウォッシャーノズルの噴射口に挿入する挿入ピンは、その直径が小さく設定されることから、細くても剛性が必要となって金属製にする必要がある。そうすると、コストが嵩む上に、治具全体を合成樹脂製で一体に形成することができず、部品点数が増加することになる。本考案に係るウォッシャーノズルと噴射角度調整治具は、このような課題を解決するために提案されたものである。
【課題を解決するための手段】
【０００４】
本考案に係る噴射角度調整治具の上記課題を解決して目的を達成するための要旨は、平板状の治具本体と、該治具本体の一端側に突出する筒状の主嵌合部と、前記治具本体の他端側に突出する筒状の従嵌合部とからなり、前記主嵌合部は嵌合相手であるノズルの筒状の噴射口部を内包して嵌合し、前記噴射口部の噴射角度を所要可動範囲内において自由に調節できることである。
【０００５】
また、前記主嵌合部の筒内周壁には、嵌合相手であるノズルの噴射口部の筒状外周部に設けた係合部に係合して、前記主嵌合部と噴射口部とがその軸心廻りに一体になって回転させる係合部が設けられていること、；
更に、前記治具本体の他端にある従嵌合部は、嵌合相手であるノズルの筒状の噴射口部を内包して嵌合し、前記噴射口部の噴射角度を所要可動範囲内においてその軸心廻りの回転させることを除いて揺動させることが可能であること、；
前記治具本体と主嵌合部及び従嵌合部が、合成樹脂で一体に形成されていること、；
を含むものである。
【０００６】
本発明に係るウォッシャーノズルの上記課題を解決して目的を達成するための要旨は、ノズルの筒状の噴射口部においてはその筒状の外周壁部に、本発明に係る前記噴射角度調整治具の主嵌合部の係合部に係合させるための係合部が対応する部位に設けられていることである。
【考案の効果】
【０００７】
本考案のウォッシャーノズルと噴射角度調整治具とによれば、この調整治具の筒状の主嵌合部が相手方の噴射口部を内包して、軸心廻りの回転や揺動による調節を行うので、当該主嵌合部の負荷が軽減される。よって、この噴射角度調整治具の全体を合成樹脂製とすることができるようになり、部品点数が削減されると共にコストの低減となる。
【０００８】
前記主嵌合部の筒内周壁の係合部により、嵌合相手のノズルの噴射口部を、その軸心廻りに回転させることができるようになり、当該噴射口部からの水平な扇状に広がる洗浄液である場合に、その洗浄液を軸心廻りに回転させることができて、調節性能が向上する。
また、治具本体の他端にある従嵌合部によっても、従来のウォッシャーノズルにおける噴射口部を上下・左右に揺動させることができる。
【考案を実施するための最良の形態】
【０００９】
本考案に係る噴射角度調整治具１は、図１乃至図３に示すように、平板状の治具本体２と、該治具本体２の一端側に突出する筒状の主嵌合部３と、前記治具本体２の他端側に突出する筒状の従嵌合部４とからなる。
【００１０】
前記主嵌合部３は嵌合相手であるウォッシャーノズル５のノズル５ｄ（図５、図６参照）の筒状の噴射口部５ａを内包して嵌合し、前記噴射口部５ａの噴射角度を所要可動範囲内において自由に調節できるものである。治具本体２に、この主嵌合部３を示す凸状の指示マーク６が設けられている。また、紐を通したりフックに引っ掛けたりすることができるように、取付用の貫通孔７が設けられている。
【００１１】
前記主嵌合部３の筒内周壁３ａには、嵌合相手である前記ノズル５ｄの噴射口部５ａの筒状外周部に設けた係合部５ｂに係合して、前記主嵌合部３と噴射口部５ａとがその軸心ａ廻りに一体になって回転させる係合部３ｂが設けられている。この主嵌合部３の係合部３ｂと、噴射口部５ａの係合部５ｂとは、いわゆる枢着関係に有れば良く、その凹凸関係が逆であっても良い。また、凹凸の断面形状が、例えば、台形状、半円形状、半楕円形状、三角形状などの、一体となって軸心ａ廻りに回転できる構造であれば、いずれであっても良い。また、軸心方向に沿っての奥行きの深さは、適宜な設計事項である。
【００１２】
前記治具本体２の他端にある従嵌合部４は、嵌合相手であるウォッシャーノズル５のノズル５ｄの筒状の噴射口部５ａを内包して嵌合し、前記噴射口部５ａの噴射角度を所要可動範囲内においてその軸心廻りの回転させることを除いて揺動させることが可能である。この従嵌合部４には、前記係合部３ｂのような回転用の係合手段がないので、揺動させるだけである。従来のノズル５に対して、噴射角度調節できるようにするものである。
【００１３】
一方、前記噴射角度調節治具１に嵌合する相手のウォッシャーノズル５は、図５乃至図６に示すように、そのノズル５ｄの筒状の噴射口部５ａにおいてはその筒状の外周壁部に、噴射角度調整治具１の主嵌合部３の係合部３ｂに係合させるための係合部５ｂが対応する部位に設けられている。よって、図示の例では、対称形に２箇所であるが、１箇所でも、３箇所以上でも良い。
【００１４】
前記ウォッシャーノズル５の噴射口部５ａは、図６に示すように、ボディ５ｅに設けられた球面状の受け座５ｃに、球体状のノズル５ｄが回転・揺動自在に嵌合していて、当該噴射口部５ａの軸心ａを揺動させることで、洗浄液の噴射角度を、自由に変えられるようになっている。
【００１５】
以上のようにして形成される本発明に係る噴射角度調節治具１とウォッシャーノズル５とによれば、図７に示すように、前記噴射角度調整治具１の主嵌合部３を、ウォッシャーノズル５のノズル５ａに嵌合させ、軸心ａの廻りに回転させたり、揺動させたりするものである。これにより、噴射口部５ａから噴射される洗浄液の上下方向・左右方向の角度を調節することが可能となる。また、噴射される洗浄液が、前記噴射口部５ａから発振回路によって自励振動して扇状で面状に噴射される場合に、その扇状で面状の洗浄液全体の軸心ａの廻りの角度を変えることができて、噴射角度調整能力が向上するものである。なお、上記実施例においては、自動車用の洗浄液を噴射するウォッシャーノズルを噴射角度調整の相手方にしているが、これに限らず、他の液体噴射ノズルや、空気などの気体噴射ノズルに対しても、本考案の噴射角度調整治具を適用できるものである。
【図面の簡単な説明】
【００１６】
【図１】本考案に係る噴射角度調整治具１の斜視図である。
【図２】同本考案の噴射角度調整治具１の平面図である。
【図３】同本考案の噴射角度調整治具１の背面図（Ａ）と正面図（Ｂ）とである。
【図４】同本考案の噴射角度調整治具１におけるＡ−Ａ線に沿った断面図である。
【図５】前記噴射角度調整治具１とウォッシャーノズル５との使用方法を説明する説明図である。
【図６】同本発明に係るウォッシャーノズル５のノズル５ａが、球面対偶で揺動自在であることを示す説明断面図（Ａ）〜（Ｃ）である。
【図７】同本発明の噴射角度調整治具１に使用状態を示す説明図である。
【符号の説明】
【００１７】
１          噴射角度調整治具、
２          治具本体、
３          主嵌合部、                      ３ａ            筒内周壁、
３ｂ        係合部、
４          従嵌合部、
５          ウォッシャーノズル、            ５ａ            噴射口部、
５ｂ        係合部、                        ５ｃ            受け座、
５ｄ        ノズル、                        ５ｅ            ボディ、
６          指示マーク、
７          貫通孔。
【図１】
0003147654.tif 000003
【図２】
0003147654.tif 000004
【図３】
0003147654.tif 000005
【図４】
0003147654.tif 000006
【図５】
0003147654.tif 000007
【図６】
0003147654.tif 000008
【図７】
0003147654.tif 000009
【手続補正書】
【提出日】平成20年10月31日(2008.10.31)
【手続補正１】
【補正対象書類名】実用新案登録請求の範囲
【補正対象項目名】請求項５
【補正方法】変更
【補正の内容】
【請求項５】
ノズルの筒状の噴射口部においてはその筒状の外周壁部に、請求項１〜４のいずれか一つに記載した噴射角度調整治具の主嵌合部の係合部に係合させるための係合部が対応する部位に設けられていること、
を特徴とするウォッシャーノズル。